(57)【要約】【課題】結婚披露宴などのイベントを効果的に演出することのできる演出用コンテンツの処理を行なうシステムを提供する。【解決手段】コンテンツ処理システムでは、端末装置３００Ａからサーバ１００に対して結婚披露宴などのイベントの開催時期および参加ユーザを含むイベント情報が設定される（Ｓ１，Ｓ２）。サーバは端末装置から、少なくともイベントの開催中を含む投稿期間内に、参加ユーザに関連付けられた写真などのコンテンツの入力を受け付け、（Ｓ９）、メモリに格納する（Ｓ１０）。サーバは、端末装置から入力された少なくとも２以上の写真などのコンテンツを用いて、イベント演出用のコンテンツの処理として、たとえばフォトモザイクを作成し、表示する処理を少なくともイベントの開催中を含む処理期間内に行なう（Ｓ１６〜Ｓ１９）。【選択図】図４
2015141671.tif 000002
【特許請求の範囲】
【請求項１】
端末装置とサーバとを含んだ、イベント演出用のコンテンツの処理を行なうコンテンツ処理システムであって、
前記サーバに対してイベントの開催時期および参加ユーザを含むイベント情報を設定するための設定手段と、
前記イベントに関して設定されたユーザであるか否かの認証を行なうための認証手段と、
前記サーバが前記端末装置から、少なくとも前記イベントの開催中を含む投稿期間内に、前記参加ユーザに関連付けられたコンテンツの入力を受け付けるためのコンテンツ入力手段と、
前記コンテンツ入力手段で受け付けた前記参加ユーザに関連付けられたコンテンツをメモリに格納するための格納手段と、
前記サーバが、前記端末装置から入力された少なくとも２以上のコンテンツを用いて、少なくとも前記イベントの開催中を含む処理期間内に前記イベント演出用のコンテンツを処理するためのコンテンツ処理手段とを備える、コンテンツ処理システム。
【請求項２】
前記コンテンツ処理手段は、前記端末装置から入力されたコンテンツを利用して、前記イベントの開催期間中に前記イベント演出用のコンテンツを再生する、請求項１に記載のコンテンツ処理システム。
【請求項３】
前記メモリに記憶されている前記コンテンツのうちから、前記コンテンツ処理手段での前記イベント演出用のコンテンツの処理には用いないコンテンツを指定する、特定のユーザによる操作を受け付けるための指示入力手段をさらに備える、請求項２に記載のコンテンツ処理システム。
【請求項４】
前記コンテンツ処理手段は、前記メモリに記憶されている複数の前記コンテンツを用いて１つのコンテンツを生成し、前記イベント演出用のコンテンツとして再生する、請求項１〜３のいずれかに記載のコンテンツ処理システム。
【請求項５】
前記コンテンツ処理手段は、前記コンテンツ入力手段でコンテンツを受け付けることによって、前記生成した前記イベント演出用のコンテンツを更新する、請求項４に記載のコンテンツ処理システム。
【請求項６】
前記コンテンツ処理手段は、前記イベント演出用のコンテンツの再生の際に、前記イベント演出用のコンテンツに含まれる複数のコンテンツのうちの指定された参加ユーザに関連付けられたコンテンツを他のコンテンツと区別して再生する、請求項４または５に記載のコンテンツ処理システム。
【請求項７】
前記参加ユーザは予めグループに区分けされており、前記コンテンツ処理手段は、前記イベント演出用のコンテンツの再生の際に、前記イベント演出用のコンテンツに含まれる複数のコンテンツのうちの指定されたグループに属する参加ユーザに関連付けられたコンテンツを他のコンテンツと区別して再生する、請求項４または５に記載のコンテンツ処理システム。
【請求項８】
前記イベントの開催期間の後に、前記端末装置から前記イベント演出用のコンテンツ中の前記参加ユーザに関連付けられたコンテンツの指定を受け付けることによって、前記メモリに格納されている、前記イベント演出用のコンテンツに含まれるそれぞれ前記参加ユーザに関連付けられた複数のコンテンツのうちから指定されたコンテンツを前記端末装置に転送する転送手段をさらに備える、請求項４〜７のいずれかに記載のコンテンツ処理システム。
【請求項９】
前記イベントの開催期間内である所定期間に前記コンテンツ入力手段で受け付けた前記参加ユーザに関連付けられたコンテンツの数に応じて、セグメントの数を変化させて表示装置に表示するためのセグメント表示処理手段をさらに備える、請求項１〜８のいずれかに記載のコンテンツ処理システム。
【請求項１０】
前記参加ユーザは予めグループに区分けされており、前記セグメント表示処理手段は、前記グループごとに、前記コンテンツ入力手段で受け付けた当該グループに属する参加ユーザに関連付けられたコンテンツの数に応じて前記セグメントを表示する、請求項９に記載のコンテンツ処理システム。
【請求項１１】
前記イベントは複数の期間を含み、前記セグメント表示処理手段は、前記複数の期間に含まれる少なくとも１つの期間について、前記コンテンツ入力手段で受け付けた当該期間に作成されたコンテンツの数に応じて前記セグメントを表示する、請求項９に記載のコンテンツ処理システム。
【請求項１２】
前記セグメント表示処理手段は、前記表示装置に表示するセグメントの数が予め規定された数となるときに、前記セグメントと共に前記コンテンツ入力手段で受け付けたコンテンツのうちの前記セグメントに対応したコンテンツを再生する、請求項９に記載のコンテンツ処理システム。
【請求項１３】
前記コンテンツ入力手段は、前記投稿期間後に前記端末装置から、特定のユーザに関連付けられたコンテンツの入力を受け付け、
前記コンテンツ処理手段は、さらに、前記イベントの開催期間後に前記端末装置を用いた前記参加ユーザからの指示に応じて前記メモリに格納されたコンテンツを前記端末装置に再生する、請求項１〜１２のいずれかに記載のコンテンツ処理システム。
【請求項１４】
イベント演出用のコンテンツの処理を行なうサーバであって、
イベントの開催時期および参加ユーザを含むイベント情報の設定を受け付けるための設定手段と、
前記イベントに関して設定されたユーザであるか否かの認証を行なうための認証手段と、
端末装置から、少なくとも前記イベントの開催中を含む投稿期間内に、前記参加ユーザに関連付けられたコンテンツの入力を受け付けるためのコンテンツ入力手段と、
前記コンテンツ入力手段で受け付けた前記参加ユーザに関連付けられたコンテンツをメモリに格納するための格納手段と、
前記端末装置から入力された少なくとも２以上のコンテンツを用いて、少なくとも前記イベントの開催中を含む処理期間内に前記イベント演出用のコンテンツを処理するためのコンテンツ処理手段とを備える、コンテンツ処理サーバ。
【請求項１５】
イベント演出用のコンテンツの処理を行なうサーバと通信可能な端末装置であって、
イベントに関して設定されたユーザであるか否かの認証を行なうための認証手段と、
前記イベントに関連付けて設定された投稿期間内に作成されたコンテンツを、前記認証手段での認証に成功したユーザに関連付けて前記サーバに対して入力するためのコンテンツ入力手段とを備える、端末装置。
【請求項１６】
端末装置とサーバとを利用した、イベント演出用のコンテンツの処理方法であって、
前記サーバに対してイベントの開催時期および参加ユーザを含むイベント情報を設定するステップと、
前記サーバが前記端末装置から、少なくとも前記イベントの開催中を含む投稿期間内に、前記参加ユーザに関連付けられたコンテンツの入力を受け付けるステップと、
前記受け付けるステップで受け付けた前記参加ユーザに関連付けられたコンテンツをメモリに格納するステップと、
前記サーバが、少なくとも前記イベントの開催中を含む処理期間内に、前記端末装置から入力された少なくとも２以上のコンテンツを用いて、前記イベント演出用のコンテンツを処理するステップとを備える、コンテンツ処理方法。
【請求項１７】
コンピュータにイベント演出用のコンテンツの処理を行なわせるプログラムであって、
イベントの開催時期および参加ユーザを含むイベント情報を設定するステップと、
端末装置から、少なくとも前記イベントの開催中を含む投稿期間内に、前記参加ユーザに関連付けられたコンテンツの入力を受け付けるステップと、
前記受け付けるステップで受け付けた前記参加ユーザに関連付けられたコンテンツをメモリに格納するステップと、
前記端末装置から入力された少なくとも２以上のコンテンツを用いて、少なくとも前記イベントの開催中を含む処理期間内に前記イベント演出用のコンテンツを処理するステップとを前記コンピュータに実行させる、コンテンツ処理プログラム。
【発明の詳細な説明】
【技術分野】
【０００１】
この発明はコンテンツ処理システム、コンテンツ処理サーバ、端末装置、コンテンツ処理方法、およびコンテンツ処理プログラムに関し、特に、イベント演出用のコンテンツの処理を行なうコンテンツ処理システム、コンテンツ処理サーバ、端末装置、コンテンツ処理方法、およびコンテンツ処理プログラムに関する。
【背景技術】
【０００２】
結婚披露宴などのイベントでは、写真や動画を用いたコンテンツによる演出がよく行なわれる。
【先行技術文献】
【特許文献】
【０００３】
【特許文献１】特開２０１３−０１７６９２号公報
【特許文献２】特開２０１１−２８６４９号公報
【発明の概要】
【発明が解決しようとする課題】
【０００４】
結婚披露宴のようなイベントは、たとえば新郎および新婦などの主催者のみならず、列席者などである参加者もコンテンツの演出に加わると、よりイベントが効果的となるものである。そのため、コンテンツによる演出にイベント参加者も参加させたいというニーズ（課題）がある。
【０００５】
本発明はこのような課題に鑑みてなされたものであって、イベントをより効果的に演出することのできる、イベント演出用のコンテンツの処理を行なうコンテンツ処理システム、コンテンツ処理サーバ、端末装置、コンテンツ処理方法、およびコンテンツ処理プログラムを提供することを目的としている。
【課題を解決するための手段】
【０００６】
上記目的を達成するために、本発明のある局面に従うと、コンテンツ処理システムは、端末装置とサーバとを含んで、イベント演出用のコンテンツの処理を行なう。コンテンツ処理システムは、サーバに対してイベントの開催時期および参加ユーザを含むイベント情報を設定するための設定手段と、イベントに関して設定されたユーザであるか否かの認証を行なうための認証手段と、サーバが前記端末装置から、少なくともイベントの開催中を含む投稿期間内に、参加ユーザに関連付けられたコンテンツの入力を受け付けるためのコンテンツ入力手段と、コンテンツ入力手段で受け付けた参加ユーザに関連付けられたコンテンツをメモリに格納するための格納手段と、サーバが、端末装置から入力された少なくとも２以上のコンテンツを用いて、少なくともイベントの開催中を含む処理期間内にイベント演出用のコンテンツを処理するためのコンテンツ処理手段とを備える。
【０００７】
好ましくは、コンテンツ処理手段は、端末装置から入力されたコンテンツを利用して、イベントの開催期間中にイベント演出用のコンテンツを再生する。
【０００８】
好ましくは、コンテンツ処理システムは、メモリに記憶されているコンテンツのうちから、コンテンツ処理手段でのイベント演出用のコンテンツの処理には用いないコンテンツを指定する、特定のユーザによる操作を受け付けるための指示入力手段をさらに備える。
【０００９】
より好ましくは、コンテンツ処理手段は、メモリに記憶されている複数のコンテンツを用いて１つのコンテンツを生成し、イベント演出用のコンテンツとして再生する。
【００１０】
より好ましくは、コンテンツ処理手段は、コンテンツ入力手段でコンテンツを受け付けることによって、生成したイベント演出用のコンテンツを更新する。
【００１１】
好ましくは、コンテンツ処理手段は、イベント演出用のコンテンツの再生の際に、イベント演出用のコンテンツに含まれる複数のコンテンツのうちの指定された参加ユーザに関連付けられたコンテンツを他のコンテンツと区別して再生する。
【００１２】
好ましくは、参加ユーザは予めグループに区分けされており、コンテンツ処理手段は、イベント演出用のコンテンツの再生の際に、イベント演出用のコンテンツに含まれる複数のコンテンツのうちの指定されたグループに属する参加ユーザに関連付けられたコンテンツを他のコンテンツと区別して再生する。
【００１３】
好ましくは、コンテンツ処理システムは、イベントの開催期間の後に、端末装置からイベント演出用のコンテンツ中の参加ユーザに関連付けられたコンテンツの指定を受け付けることによって、メモリに格納されている、イベント演出用のコンテンツに含まれるそれぞれ参加ユーザに関連付けられた複数のコンテンツのうちから指定されたコンテンツを端末装置に転送する転送手段をさらに備える。
【００１４】
好ましくは、コンテンツ処理システムは、イベントの開催期間内である所定期間にコンテンツ入力手段で受け付けた参加ユーザに関連付けられたコンテンツの数に応じて、セグメントの数を変化させて表示装置に表示するためのセグメント表示処理手段をさらに備える。
【００１５】
より好ましくは、参加ユーザは予めグループに区分けされており、セグメント表示処理手段は、グループごとに、コンテンツ入力手段で受け付けた当該グループに属する参加ユーザに関連付けられたコンテンツの数に応じてセグメントを表示する。
【００１６】
好ましくは、イベントは複数の期間を含み、セグメント表示処理手段は、複数の期間に含まれる少なくとも１つの期間について、コンテンツ入力手段で受け付けた当該期間に作成されたコンテンツの数に応じてセグメントを表示する。
【００１７】
好ましくは、セグメント表示処理手段は、表示装置に表示するセグメントの数が予め規定された数となるときに、セグメントと共にコンテンツ入力手段で受け付けたコンテンツのうちのセグメントに対応したコンテンツを再生する。
【００１８】
好ましくは、コンテンツ入力手段は、投稿期間後に端末装置から、特定のユーザに関連付けられたコンテンツの入力を受け付け、コンテンツ処理手段は、さらに、イベントの開催期間後に端末装置を用いた参加ユーザからの指示に応じてメモリに格納されたコンテンツを端末装置に再生する。
【００１９】
本発明の他の局面に従うと、コンテンツ処理サーバはイベント演出用のコンテンツの処理を行なうサーバであって、イベントの開催時期および参加ユーザを含むイベント情報の設定を受け付けるための設定手段と、イベントに関して設定されたユーザであるか否かの認証を行なうための認証手段と、端末装置から、少なくともイベントの開催中を含む投稿期間内に、参加ユーザに関連付けられたコンテンツの入力を受け付けるためのコンテンツ入力手段と、コンテンツ入力手段で受け付けた参加ユーザに関連付けられたコンテンツをメモリに格納するための格納手段と、端末装置から入力された少なくとも２以上のコンテンツを用いて、少なくともイベントの開催中を含む処理期間内にイベント演出用のコンテンツを処理するためのコンテンツ処理手段とを備える。
【００２０】
本発明のさらに他の局面に従うと、端末装置はイベント演出用のコンテンツの処理を行なうサーバと通信可能であって、イベントに関して設定されたユーザであるか否かの認証を行なうための認証手段と、イベントに関連付けて設定された投稿期間内に作成されたコンテンツを、認証手段での認証に成功したユーザに関連付けてサーバに対して入力するためのコンテンツ入力手段とを備える。
【００２１】
本発明のさらに他の局面に従うと、コンテンツ処理方法は端末装置とサーバとを利用した、イベント演出用のコンテンツの処理方法であって、サーバに対してイベントの開催時期および参加ユーザを含むイベント情報を設定するステップと、サーバが端末装置から、少なくともイベントの開催中を含む投稿期間内に、参加ユーザに関連付けられたコンテンツの入力を受け付けるステップと、受け付けるステップで受け付けた参加ユーザに関連付けられたコンテンツをメモリに格納するステップと、サーバが、端末装置から入力された少なくとも２以上のコンテンツを用いて、少なくともイベントの開催中を含む処理期間内にイベント演出用のコンテンツを処理するステップとを備える。
【００２２】
本発明のさらに他の局面に従うと、コンテンツ処理プログラムはコンピュータにイベント演出用のコンテンツの処理を行なわせるプログラムであって、イベントの開催時期および参加ユーザを含むイベント情報を設定するステップと、端末装置から、少なくともイベントの開催中を含む投稿期間内に、参加ユーザに関連付けられたコンテンツの入力を受け付けるステップと、受け付けるステップで受け付けた参加ユーザに関連付けられたコンテンツをメモリに格納するステップと、端末装置から入力された少なくとも２以上のコンテンツを用いて、少なくともイベントの開催中を含む処理期間内にイベント演出用のコンテンツを処理するステップとをコンピュータに実行させる。
【発明の効果】
【００２３】
この発明によると、イベントをより効果的に演出することができる。
【図面の簡単な説明】
【００２４】
【図１】実施の形態にかかるコンテンツ処理システム（以下、システムと略する）の構成の具体例を示す概略図である。
【図２】システムに含まれるサーバの装置構成の具体例を示すブロック図である。
【図３】システムに含まれる端末装置の装置構成の具体例を示すブロック図である。
【図４】第１の実施の形態にかかる動作の概要を表わした図である。
【図５】図４の動作中の端末装置の表示画面の具体例を表わした図である。
【図６】図４の動作中の端末装置の表示画面の具体例を表わした図である。
【図７】図４の動作中の端末装置の表示画面の具体例を表わした図である。
【図８】図４の動作中の端末装置の表示画面の具体例を表わした図である。
【図９】図４の動作中の端末装置の表示画面の具体例を表わした図である。
【図１０】図４の動作中の端末装置の表示画面の具体例を表わした図である。
【図１１】第１の実施の形態にかかるサーバの機能構成の具体例を示すブロック図である。
【図１２】サーバでの第１の実施の形態にかかる動作の流れの具体例を表わしたフローチャートである。
【図１３】第２の実施の形態にかかる動作の概要を表わした図である。
【図１４】図１３の動作中の表示装置での表示例を表わした図である。
【図１５】図１３の動作中の表示装置での表示例を表わした図である。
【図１６】図１３の動作中の表示装置での表示例を表わした図である。
【図１７】図１３の動作中の表示装置での表示例を表わした図である。
【図１８】図１３の動作中の表示装置での表示例を表わした図である。
【図１９】図１３の動作中の表示装置での表示例を表わした図である。
【図２０】図１３の動作中の表示装置での表示例を表わした図である。
【図２１】図１３の動作中の表示装置での表示例を表わした図である。
【図２２】図１３の動作中の表示装置での表示例を表わした図である。
【図２３】図１３の動作中の表示装置での表示例を表わした図である。
【図２４】図１３の動作中の表示装置での表示例を表わした図である。
【図２５】図１３の動作中の端末装置の表示画面の具体例を表わした図である。
【図２６】第２の実施の形態にかかるサーバの機能構成の具体例を示すブロック図である。
【図２７】サーバでの第２の実施の形態にかかる動作の流れの具体例を表わしたフローチャートである。
【図２８】第３の実施の形態にかかる動作の概要を表わした図である。
【図２９】図２８の動作中の端末装置での表示例を表わした図である。
【図３０】図２８の動作中の端末装置での表示例を表わした図である。
【図３１】第３の実施の形態にかかるサーバの機能構成の具体例を示すブロック図である。
【図３２】サーバでの第３の実施の形態にかかる動作の流れの具体例を表わしたフローチャートである。
【発明を実施するための形態】
【００２５】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００２６】
＜システム構成＞
図１は、本実施の形態にかかるコンテンツ処理システム（以下、システムと略する）の構成の具体例を示す概略図である。図１を参照して、本システムは、イベントの一例としての結婚披露宴での演出用のコンテンツの処理を行なうためのサーバ１００と、サーバ１００と通信可能な端末装置３００Ａ，３００Ｂ，３００Ｃ，３００Ｄ（これらを代表させて端末装置３００と称する）と、表示装置５００とを含む。
【００２７】
サーバ１００は、通信機能を備えた一般的なコンピュータであってよい。端末装置３００もまた、通信機能を備えた一般的なコンピュータであってよい。端末装置３００は、たとえば、タブレットやスマートフォンやパーソナルコンピュータなどが該当する。
【００２８】
サーバ１００と端末装置３００と通信可能に接続されている。好ましくは、サーバ１００と端末装置３００とは、インターネットなどの公衆回線を利用した無線通信を行なう。
【００２９】
表示装置５００は、サーバ１００と直接的に、または端末装置３００を介して間接的に通信可能である。表示装置５００は、サーバ１００から送信されたコンテンツを再生可能な装置であればよい。図１は、表示装置５００が端末装置３００を介してサーバ１００と通信可能なプロジェクタである例を示している。表示装置５００はプロジェクタに限定されず、他の例として大型のディスプレイであってもよいし、さらに他の例として端末装置３００に搭載されたタッチパネルであってもよい。
【００３０】
＜装置構成＞
図２は、サーバ１００の装置構成の具体例を示すブロック図である。上記のように、サーバ１００は一般的なコンピュータであってよい。そのため、図２は、一般的なこの構成を表わしている。すなわち、図２を参照して、一例として、サーバ１００は、装置全体を制御するためのＣＰＵ（Central  Processing  Unit）１０と、ＣＰＵ１０で実行されるプログラムを記憶するためのメモリであるＲＯＭ（Read  Only  Memory）１１と、ＣＰＵ１０でプログラムを実行する際の作業領域となったり計算値を記憶したりするためのメモリであるＲＡＭ（Random  Access  Memory）１２と、大型の記憶装置の一例としてのＨＤＤ（Hard  Disk  Drive）１４と、インターネットを介して他の装置と通信するための通信部１３とを含む。
【００３１】
図３は、端末装置３００の装置構成の具体例を示すブロック図である。上記のように、端末装置３００もまた一般的なコンピュータであってよい。しかしながら、端末装置３００は、コンテンツを取得するための機能として、自身でコンテンツを作成するための機能、またはコンテンツ作成装置で作成されたコンテンツを読み出す機能を有する。
【００３２】
詳しくは、図３を参照して、端末装置３００は、装置全体を制御するためのＣＰＵ３０と、ＣＰＵ３０で実行されるプログラムを記憶するためのメモリであるＲＯＭ３１と、ＣＰＵ３０でプログラムを実行する際の作業領域となったり各種情報を記憶したりするためのメモリであるＲＡＭ３２と、タッチパネル３３と、カメラ３４と、マイク３５と、スピーカ３６と、メディアを読み取るための読取部３７と、インターネットを介して他の装置と通信するための通信部３８とを含む。
【００３３】
図３は、コンテンツを作成する機能の一例としてカメラ３４およびマイク３５を利用した画像取得機能または動画取得機能を示している。また、図３は、コンテンツを読み出す機能の一例として読取部３７でメディアからコンテンツを読み取る機能を示している。端末装置３００には、これら機能のうちの少なくとも一方が含まれておればよい。また、コンテンツを作成する機能およびコンテンツを読み出す機能は、いうまでもなく図３に表わされたものには限定されない。
【００３４】
＜全体概要＞
本システムの用いられ方として、端末装置３００をイベントに関係するユーザが使用し、サーバ１００が当該イベントに関する情報を記憶し、かつ、当該イベント演出用のコンテンツに関する処理を行なう方法が想定される。イベントに関係するユーザとしては、イベントがたとえば結婚披露宴である場合、結婚披露宴の招待客、新郎・新婦、当該結婚披露宴の司会者、および当該結婚披露宴をプロデュースする業者などが挙げられる。
【００３５】
本システムでは、イベントの開催期間前を含む第１の期間と、イベントの開催期間中を含む第２の期間と、イベントの開催後を含む第３の期間とのそれぞれで規定された動作が行なわれる。イベントの一例を結婚披露宴とすると、第１の期間は主に結婚披露宴開催前、第２の期間は結婚披露宴開催中、および第３の期間は結婚披露宴開催の後、となる。サーバ１００には、予めイベントの開催時期を含む情報がイベント情報として設定されている。そして、サーバ１００のＣＰＵ１０は、プログラムの実行時期とイベント情報に含まれるイベントの開催時期とを比較することで、実行時期が上記の第１の時期〜第３の時期のいずれであるかを判別して、実行するプログラムを選択する。これにより、本システムでは、上記第１の時期〜第３の時期それぞれで予め規定された動作が行なわれることになる。サーバ１００は、少なくとも、第２の期間である結婚披露宴開催中に後述する処理を実行する。好ましくは、サーバ１００は、第１の期間である結婚披露宴開催前の期間での処理および／または第３の期間である結婚披露宴開催後の期間での処理を行なう。そのため、上記の第２の期間が少なくともサーバ１００での処理期間に含まれる。
【００３６】
以下では、上記第１の時期〜第３の時期それぞれの本システムの動作について、第１の実施の形態〜第３の実施の形態として説明する。
【００３７】
［第１の実施の形態］
第１の実施の形態として、イベントの一例である結婚披露宴の開催以前の上記第１の時期における本システムでの動作について説明する。本システムは、端末装置３００を結婚披露宴の参加者が用いてサーバ１００にアクセスすることが想定されている。結婚披露宴の参加者には、特定のユーザとしてたとえば新郎、新婦が含まれる。
【００３８】
＜動作概要＞
図４は、本システムでの第１の実施の形態にかかる動作の概要を表わした図である。また、図５〜図１０は、図４の動作中の端末装置３００の表示画面の具体例を表わした図である。図４の例において、端末装置３００Ａは上記の特定のユーザとしての新郎または新婦が用いる端末装置に該当し、端末装置３００Ｂは新郎および新婦以外の参加者が用いる端末装置に該当する。端末装置３００では、ユーザ操作に従って予めインストールされているプログラムが起動し、ユーザの操作を受け付ける。他の例として、端末装置３００がユーザ操作で指定されたＵＲＬ（Uniform  Resource  Locators）などのアクセス先にアクセスして当該アクセス先の装置の提供するプログラムを利用してもよい。以降の実施の形態でも同様とする。サーバ１００は、当該プログラムの実行に従って端末装置３００から送信されたユーザ情報を用いてユーザ認証を行なうことによって、当該操作が特定のユーザからのものであるそれ以外の参加者からのものであるかを判別可能である。なお、上記の後者の例の場合には、ユーザごとにアクセス先を異ならせることで、ユーザの属性によってプログラムを分けるようにしてもよい。
【００３９】
図４を参照して、上記プログラムが起動している端末装置３００Ａは、特定のユーザによる設定操作を受け付けると、該操作に従う結婚式情報をサーバ１００に対して送信する（ステップＳ１）。図５は、設定画面の具体例を表わした図である。図５の画面は、たとえば特定のユーザが最初にサーバ１００にアクセスしたタイミングや、ホーム画面（図７）において設定を指示した際に、端末装置３００Ａのタッチパネル３３に表示される。
【００４０】
一例として、特定のユーザである新郎および新婦には、予め結婚披露宴を特定する情報（結婚式ＩＤ等）に関連付けてパスワードが設定されている。そして、サーバ１００において当該パスワードによる認証が成功の場合、登録されている新郎および新婦からのアクセスであると判別して、関連付けた結婚披露宴のための設定画面（図５）を端末装置３００Ａに表示させる。
【００４１】
図５を参照して、設定画面は、結婚式情報として、当該結婚披露宴の開催時期を設定する項目６１と、参加者として上記特定のユーザを特定する情報としての新郎および新婦の名前を設定する項目６２と、参加者を特定する情報として上記特定のユーザ以外のユーザの名前を設定する項目６３と、パスワードを設定する項目６４とを含む。設定画面は上記項目の他に、好ましくは、後述するコンテンツ処理の一例としてのフォトモザイク作成の基本画像を設定する項目を含む。
【００４２】
特定のユーザは、端末装置３００Ａに表示された図５の画面に必要な情報を入力し、「確認」ボタンにタッチするなど所定の操作を行なうことで、結婚式情報のサーバ１００への送信を端末装置３００Ａに指示することができる。
【００４３】
結婚式情報を受信したサーバ１００は、当該情報をメモリに記憶する（ステップＳ２）。このメモリは、サーバ１００に搭載されるメモリであってもよいし、サーバ１００からアクセス可能な他の装置に搭載されるメモリであってもよい。
【００４４】
好ましくは、サーバ１００は、結婚式情報において参加者と設定されたユーザに関連付けられたアクセス先に対して通知する（ステップＳ３）。ステップＳ３の通知は、一例として、予め用意されているフォーマットに結婚式情報から必要な情報を読み出して組み込むことで作成されたメール（以下、招待メールとも称する）を、上記アクセス先であるメールアドレスに対して送信する処理が該当する。ステップＳ３の招待メールを受信した端末装置３００Ｂは、ユーザ操作に従って当該招待メールを表示する（ステップＳ４）。
【００４５】
図６は招待メールの具体例を表わした図である。図６を参照して、招待メールは、少なくとも結婚式情報に基づく表示情報の要求先であるアクセス情報の通知６５と、当該アクセス情報に示されるアクセス先へのアクセスを許可するためのパスワードの通知６６とを含む。すなわち、上記ステップＳ３では、サーバ１００から参加者に対して、サーバ１００が結婚式情報に基づいて用意しているサイトへのアクセス先と当該サイトにアクセスするためのパスワードとが通知される。
【００４６】
なお、結婚式情報に基づいて用意しているサイトへのアクセス先と当該サイトにアクセスするためのパスワードとの通知はメールによる通知に限定されるものではない。たとえば、サーバ１００は、図６のような内容を印刷した招待状を作成するためのデータを生成してもよい。
【００４７】
上記プログラムが起動している端末装置３００Ｂは、参加者であるユーザから上記アクセス先にアクセスする指示操作を受け付けて、サーバ１００に対してアクセスを要求する（ステップＳ５）。サーバ１００は、当該要求に含まれるパスワードを用いてユーザ認証を行ない（ステップＳ６）、認証成功の場合に、上記サイトを表示させるための結婚式情報に基づく表示情報を端末装置３００Ｂに対して送信する（ステップＳ７）。この情報を受信することによって、端末装置３００Ｂのタッチパネル３３には結婚式情報に基づくサイトが表示される（ステップＳ８）。
【００４８】
図７は、結婚式情報に基づいたサイトのホーム画面の具体例を表わした図である。図７を参照して、ホーム画面は、サーバ１００に対してコンテンツの一例である写真の入力を指示するためのボタン６７と、サーバ１００に登録した写真を確認可能に表示することを指示するためのボタン６８とを含む。参加者であるユーザは、図７のホーム画面でボタン６７をタッチすることで、端末装置３００Ｂで動作しているプログラムに対して写真の投稿のための操作を受け付ける画面（投稿画面）への遷移を指示することができる。
【００４９】
図８は、投稿画面の具体例を表わした図である。図８を参照して、投稿画面は、投稿する写真を特定する情報の入力を受け付ける項目を含む。好ましくは、投稿画面は、写真と共にメッセージの入力を受け付ける項目を含む。参加者であるユーザは、図８の画面で投稿する写真を特定し、投稿を指示するボタンにタッチすることで、指定した写真の端末装置３００Ｂからサーバ１００への送信を指示することができる。
【００５０】
端末装置３００Ｂは図８の投稿画面で上記の投稿操作を受け付けると、指定された写真のデータに参加者であるユーザを特定する情報を関連付けてサーバ１００に対して送信することで、端末装置３００Ｂからサーバ１００に対して写真を入力する（ステップＳ９）。投稿される写真には、メッセージなどの参加者であるユーザからの入力情報が添付されていてもよい。
【００５１】
参加者であるユーザに関連付けられたコンテンツである写真データの入力を受け付けたサーバ１００は、該写真データを結婚式情報に関連付けて、予め規定されているメモリに格納する（ステップＳ１０）。上記のステップＳ９，Ｓ１０の動作は、参加者であるユーザからの操作の度に繰り返され、その度に写真データがメモリに蓄積されていく。
【００５２】
サーバ１００は、投稿される写真を、予め規定された投稿期間、受け付ける。第１の実施の形態にかかる動作においては、上記投稿期間としては、結婚披露宴開催時よりも以前の規定された時点から結婚披露宴開催までの期間が設定される。投稿期間の一例として、規定されたある時点から結婚披露宴数日前までの期間が挙げられる。
【００５３】
特定のユーザである新郎または新婦は、図７のホーム画面でボタン６８をタッチすることで、端末装置３００Ａで動作しているプログラムに対して投稿された写真の確認用の画面（確認画面）への遷移を指示することができる。すなわち、図７のホーム画面で特定のユーザによってボタン６８がタッチされると、端末装置３００Ａからサーバ１００に対して投稿された写真の閲覧が要求される（ステップＳ１１）。
【００５４】
図９は、確認画面の具体例を表わした図である。図９の確認画面は、上記要求に応じてサーバ１００が写真の表示用の情報を端末装置３００Ａに送信することで（ステップＳ１２）、端末装置３００Ａのタッチパネル３３に表示される（ステップＳ１３）。
【００５５】
図９を参照して、確認画面は、サーバ１００に対して参加者であるユーザと関連付けて入力された写真データを提示する。好ましくは、確認画面は、写真データをイベント演出用のコンテンツの具体例である、後述するフォトモザイクの作成に用いるか用いないかを指定する項目と、当該指定のサーバ１００への「削除」を指示するためのボタン６９とを含む。図９の例では、フォトモザイクの作成に用いない写真は「削除」を指示するものとしている。この指示は、メモリからの完全な削除を指示するものであってもよいし、メモリに写真データを保持したままフォトモザイクの指示に用いないことを指示するものであってもよい。
【００５６】
図９の確認画面において特定のユーザが写真の作成を指示すると、端末装置３００Ａはサーバ１００に対して指定された写真の削除が指示される（ステップＳ１４）。当該指示を受け付けたサーバ１００は、指定された写真をメモリから削除する（ステップＳ１５）。または、当該写真を後述するフォトモザイクの作成処理に用いないように指定する。
【００５７】
なお、上記の写真の確認および削除は、当該写真に関連付けられたユーザも可能である。つまり、本サイトにアクセス可能なユーザ（招待客）も、自身の投稿した写真の確認、削除を端末装置３００を用いて行なうことができる。
【００５８】
サーバ１００は、予め規定された数の写真が投稿されると、または、予め規定されたタイミングに達すると、投稿された少なくとも２以上の写真を用いて結婚式演出用のコンテンツとしての、上記ステップＳ２で設定されたフォトモザイク用の写真に基づくフォトモザイクを作成する処理を実行する（ステップＳ１６）。すなわち、一例としてステップＳ１６でサーバ１００は、投稿された写真をフォトモザイク用の写真の画素（またはエリア）ごとの色値に基づいて配置することで、フォトモザイク用の写真に基づく１つの画像を投稿された複数の写真で作成する処理を行なう。サーバ１００は、上記ステップＳ１６でフォトモザイクを作成した後であって上記の投稿期間内にさらに写真の投稿を受け付けると、新たに受け付けた写真を利用して作成したフォトモザイクを更新してもよい。
【００５９】
ステップＳ１６での結婚式演出用のコンテンツの処理は、フォトモザイクの作成および表示のみに限定されるものではない。結婚式演出用のコンテンツの処理の他の例としては、投稿された写真を予め規定された順に並べて時系列的に再生されるコンテンツの一例であるスライドショーを作成および表示する処理や、フォトモザイクを利用したクイズを作成および表示する処理や、予め規定されたルールに基づいて２以上の写真を配置した上で印刷してフォトブックを作成する処理なども挙げられる。
【００６０】
図１０は、結婚式情報に基づいたサイトのホーム画面の具体例であって、上記ステップＳ１６でサーバ１００がフォトモザイクを作成した後に表示されるホーム画面の具体例を表わした図である。図１０を参照して、好ましくはサーバ１００は、結婚式演出用のコンテンツの処理の一例であるフォトモザイクの作成が完了すると、ホーム画面にフォトモザイクの表示を指示するボタン７０を配置する。参加者であるユーザは、図１０のホーム画面でボタン７０をタッチすることで、端末装置３００Ｂで動作しているプログラムに対してフォトモザイクの表示を指示することができる。
【００６１】
すなわち、図１０のホーム画面でボタン７０のタッチを受け付けると、端末装置３００Ｂはサーバ１００に対してフォトモザイクの表示を要求する（ステップＳ１７）。この要求に応じてフォトモザイクを表示するための画面データがサーバ１００から端末装置３００Ｂに送信されることで（ステップＳ１８）、端末装置３００Ｂにフォトモザイクが表示される（ステップＳ１９）。
【００６２】
＜機能構成＞
図１１は、上記の第１の実施の形態にかかる動作を行なうためのサーバ１００の機能構成の具体例を示すブロック図である。図１１に示される各機能は、サーバ１００のＣＰＵ１０がＲＯＭ１１に記憶されている上記第１の期間用のプログラムをＲＡＭ１２上に読み出して実行することで、主にＣＰＵ１０で実現される。しかしながら少なくとも一部機能は、図２に表わされた他の装置構成、または図示されていない電気回路などの他のハードウェア構成によって実現されてもよい。
【００６３】
図１１を参照して、サーバ１００のメモリの一例であるＨＤＤ１４は、イベント情報の一例としての結婚式情報を記憶するための記憶領域である結婚式情報記憶部１４１と、結婚披露宴の参加者から受け付けたコンテンツの一例である写真を当該参加者に関連付けて記憶するための記憶領域である写真記憶部１４２と、フォトモザイクなどの結婚式演出用のコンテンツを当該結婚披露宴に関連付けて記憶するための記憶領域であるコンテンツ記憶部１４３とを含む。
【００６４】
さらに図１１を参照して、ＣＰＵ１０は、端末装置３００から通信部１３を介して情報の入力を受け付けて、結婚披露宴の開催時期および参加者を含む結婚式情報を設定するための設定部１０１と、設定された結婚式情報をメモリに格納するための設定格納部１０２と、端末装置３００から上記の投稿期間内に参加者に関連付けられた写真の入力（投稿）を受け付けるための写真入力部１０３と、入力された写真を参加者に関連付けてメモリに格納するための写真格納部１０４と、端末装置３００から通信部１３を介して指示入力を受け付けるための指示入力部１０５と、当該指示に従って図５〜図１０の画面を表示するための表示データを端末装置３００に送信することで画面表示を行なわせるための表示処理部１０７と、端末装置３００から入力された少なくとも２以上の写真を用いて、イベント演出用のコンテンツの処理を行なうための写真処理部１０８とを含む。
【００６５】
写真処理部１０８は、一例として、イベント演出用のコンテンツの一例としてのフォトモザイクを作成するためのフォトモザイク作成部１０９を含む。
【００６６】
指示入力部１０５は、端末装置３００から指示入力と共にパスワードの入力を受け付ける。指示入力部１０５はパスワードを用いてユーザ認証を行なうための認証部１０６を含み、当該ユーザ認証によって、指示が新郎、新婦である特定のユーザからのものであるか参加者からのものであるかを判別することができる。
【００６７】
＜動作フロー＞
図１２は、サーバ１００での第１の実施の形態にかかる動作の流れの具体例を表わしたフローチャートである。すなわち、イベントである結婚披露宴の開催よりも以前にサーバ１００で実行される動作の流れを表わしている。図１２のフローチャートに表わされた動作は、サーバ１００のＣＰＵ１０がＲＯＭ１１に記憶されているプログラムをＲＡＭ１２上に読み出して実行し、図１１の各機能を発揮することによって実現される。
【００６８】
図１２を参照して、ＣＰＵ１０は、端末装置３００から受け付けた指示が新郎、新婦である特定のユーザからの結婚式情報を設定する指示であったと判別した場合（ステップＳ１０１でＹＥＳ）、指示入力に従って結婚式情報を設定する（ステップＳ１０３）。
【００６９】
端末装置３００から受け付けた指示が結婚式情報の設定を指示するものではなく（ステップＳ１０１でＮＯ）、登録されている結婚式情報へのアクセスを要求するものであった場合（ステップＳ１０５でＹＥＳ）、ＣＰＵ１０は、受け付けたパスワードを用いてユーザ認証を行なった後（ステップＳ１０７）、図５のホーム画面を表示するための情報（サイト情報）を端末装置３００に対して送信する（ステップＳ１０９）。
【００７０】
ホーム画面において写真を投稿する操作を受け付けた場合（ステップＳ１１１でＹＥＳ）、ＣＰＵ１０は、端末装置３００から受け付けた写真をメモリに格納することで記憶する（ステップＳ１１３）。そして、一例としてメモリに予め規定された数の写真が格納されると（ステップＳ１１５でＹＥＳ）、２以上の写真を用いて結婚式演出用のコンテンツの一例としてのフォトモザイクを作成する処理を実行する（ステップＳ１１７）。
【００７１】
一方、ホーム画面において写真を確認する操作を受け付けた場合（ステップＳ１１１でＮＯ）、ＣＰＵ１０は、図９の確認画面を表示するための情報を端末装置３００に対して送信する（ステップＳ１１９）。確認画面において写真を削除する（フォトモザイクの作成に用いない）指示を受け付けると（ステップＳ１２１でＹＥＳ）、ＣＰＵ１０は、指定された写真をメモリから削除するなどして、フォトモザイクの作成に用いないようにする（ステップＳ１２３）。
【００７２】
なお、上記のステップＳ１１７で作成したフォトモザイクは、その後のホーム画面において表示の指示を受け付けることによって端末装置３００に表示されてもよい。さらには、該フォトモザイクは、結婚式開催中に表示装置５００で表示されてもよい。
【００７３】
＜第１の実施の形態の効果＞
本システムにて第１の実施の形態にかかる動作が行なわれることによって、イベントの一例である結婚披露宴の開催以前に結婚披露宴の参加者からコンテンツの一例である写真の入力を受け付けて、結婚式演出用のコンテンツの処理としてフォトモザイクを作成、表示することができる。これにより、特定のユーザである新郎、新婦を含む結婚披露宴の参加者は、結婚披露宴を楽しむことができる。したがって、本システムは、第１の実施の形態にかかる動作を行なうことによって、結婚披露宴をより効果的に演出することができる。
【００７４】
［第２の実施の形態］
第２の実施の形態として、イベントの一例である結婚披露宴の開催中を含む上記第２の時期における本システムでの動作について説明する。第２の実施の形態においても、本システムは、端末装置３００を結婚披露宴の参加者が用いてサーバ１００にアクセスすることが想定されている。第２の実施の形態においては、結婚披露宴の参加者には、さらに特定のユーザとしてたとえば結婚披露宴の司会者など、イベントの進行に従ってコンテンツの処理のための操作を行なうユーザが含まれる。
【００７５】
＜動作概要＞
図１３は、本システムでの第２の実施の形態にかかる動作の概要を表わした図である。また、図１４〜図２４は、図１３の動作中の表示装置５００での表示例、および図２５は端末装置３００の表示画面の具体例を表わした図である。図１３の例において、端末装置３００Ａは上記の特定のユーザとしての司会者が用いる端末装置に該当し、端末装置３００Ｂは司会者以外の参加者が用いる端末装置に該当する。端末装置３００では、ユーザ操作に従って予めインストールされているプログラムが起動し、ユーザの操作を受け付ける。サーバ１００は、当該プログラムの実行に従って端末装置３００から送信されたユーザ情報を用いてユーザ認証を行なうことによって、当該操作が特定のユーザからのものであるそれ以外の参加者からのものであるかを判別可能である。
【００７６】
図１３を参照して、上記プログラムが起動している端末装置３００Ｂは、結婚披露宴の参加者による撮影操作を受け付けると、該操作に従ってカメラ３４での撮影動作を実行し（ステップＳ２１）、コンテンツの一例である写真をサーバ１００に対して送信（投稿）する（ステップＳ２２）。
【００７７】
端末装置３００から写真の投稿を受け付けたサーバ１００は、当該写真をメモリに格納する。このとき、サーバ１００は、投稿される写真を、予め規定された投稿期間、受け付ける。第２の実施の形態にかかる動作においては、上記投稿期間としては、結婚披露宴の開始の時点から結婚披露宴終了まで間の期間が設定される。さらに、このとき、サーバ１００は、当該写真に付加されている作成時の位置情報が結婚式場として登録されている範囲に属する場合にのみ写真の投稿を受け付けるようにしてもよい。他の例として、サーバ１００は、イベント開催時間である結婚披露宴開催期間中に作成された（撮影された）写真のみ投稿を受け付けるようにしてもよい。このようにすることで、結婚式場で撮影された写真のみを受け付けることができる。
【００７８】
写真の投稿を受け付けたサーバ１００は、受け付けた写真を表示装置５００に表示する処理を行なってもよい。これにより、表示装置５００には端末装置３００からの投稿に伴ってスライドショーのように投稿された写真が順に表示されることになる。サーバ１００は、上記の第１の期間での動作を行なっている場合には、第１の期間での動作における投稿期間である結婚披露宴開催までの期間に受け付けた写真も、併せて結婚披露宴開催中に表示装置５００に表示する処理を行なってもよい。
【００７９】
さらに、サーバ１００は、表示装置５００にセグメント表示を行なわせるための処理を実行する（ステップＳ２３）。具体的には、サーバ１００は表示装置５００の表示画面に後述するセグメントを配置し、当該画面を表示するための情報を表示装置５００に対して送信する。セグメントとは、端末装置３００から投稿されてメモリに格納された写真の数が所定の区切りの数ごとに表示する画像を指し、第２の実施の形態での投稿期間中に投稿された写真の総数を視覚的に表わすものである。
【００８０】
図１４は、表示装置５００での表示の一例を表わした図である。図１４を参照して、イベントである結婚披露宴の開催中においては、サーバ１００は表示装置５００に所定の画像を表示させると共に、端末装置３００から受け付けた写真の数に応じてセグメント７１を表示装置５００に表示する。セグメント７１を表示するために、サーバ１００は、予め区切りとする写真数を設定しておき、投稿された写真数が設定された数に到達するごとに、セグメントを１つずつ増加して表示する。このようにすることで、参加者は結婚披露宴が開始してからの写真の投稿状態を視覚的に知ることができる。そのため、参加者に対して写真の投稿を促すことができる。
【００８１】
図１５は、表示装置５００での表示の他の例を表わした図である。図１５を参照して、サーバ１００は、予め参加者をたとえば新郎側、新婦側などにグループ分けして設定しておき、投稿された写真に関連付けられた参加者の属するグループごとにセグメント７１Ａ,７１Ｂを表示装置５００に表示してもよい。このようにすることで、参加者は結婚披露宴が開始してからのたとえば新郎側、新婦側などにグループごとの写真の投稿状態を視覚的に知ることができる。そのため、参加者に対して写真の投稿数を相手側のグループの投稿数と競わせる効果を生じさせ、写真の投稿をより促すことができる。
【００８２】
図１６は、表示装置５００での表示の他の例を表わした図である。図１６を参照して、サーバ１００は、表示装置５００に表示するセグメント７２を表示すると共に、セグメントの数が予め規定された数となるとき、つまり、投稿された写真の総数が所定数となったときに、セグメントと共に投稿された写真のうちの上記所定数に対応した写真７３を表示してもよい。写真７３は、投稿された順が上記所定数に該当する写真であってもよいし、投稿された順が上記所定数から所定範囲内の予め設定された参加者からの写真であってもよい。
【００８３】
図１７は、表示装置５００での表示の他の例を表わした図である。図１７を参照して、サーバ１００は、「新郎新婦入場」や「祝辞」や「乾杯」など、予め結婚披露宴内の複数の期間を設定しておき、上記複数の期間のうちの少なくとも１つの、投稿された写真に関連付けられた時刻情報の属する期間についてのセグメント７４を表示装置５００に表示してもよい。写真に関連付けられた時刻情報は、好ましくは、当該写真の作成（撮影）時刻である。
【００８４】
また、図１７では、セグメントの他の例として、図形（たとえば円）の大きさで投稿数を表わす例が示されている。このように、セグメントの表示は小セグメントが複数表示される例に限定されず、図形の大きさや色の濃さなど、投稿数の程度が段階的に表わされるものであればどのようなものであってもよい。
【００８５】
図１７のように期間ごとに投稿数をセグメント表示することで、参加者は結婚披露宴が開始してからの各期間での写真の投稿状態を視覚的に知ることができる。そのため、参加者に対して、投稿数の少ない期間に撮影された写真の投稿を促すことができる。これにより、効果的に、結婚披露宴全体の写真が投稿されることになる。
【００８６】
表示装置５００に表示される所定の画像は、端末装置３００からサーバ１００に対して投稿された写真であってもよい。すなわち、サーバ１００は、端末装置３００から写真の入力を受け付けると、リアルタイムに表示装置５００に表示させてもよい。さらに、サーバ１００は、予め設定した写真に基づいて、投稿された２以上の写真を用いてフォトモザイクを作成する処理を行なってもよい（ステップＳ２４）。サーバ１００が上記の第１の期間での動作も行なっている場合、サーバ１００は、第１の期間での動作における投稿期間である結婚披露宴開催までの期間に受け付けた写真も、併せて、フォトモザイクの作成に用いてもよい。また、上記の予め設定した写真は、第１の期間での動作においてフォトモザイク用に設定された写真であってもよい。この場合、サーバ１００は、第１の期間で作成されたフォトモザイクに含まれる写真を、結婚披露宴開催中に受け付けた写真で置き換えていってもよい。または、サーバ１００は、第１の期間では所定の粗さまでフォトモザイクを作成しておき、第２の期間での処理において、結婚披露宴開催中に受け付けた写真を用いて上記所定の粗さよりも細かい粗さまでフォトモザイクを作成するようにしてもよい。
【００８７】
サーバ１００は、端末装置３００から写真の入力を受け付けるごとに（ステップＳ２５）、上記のようなセグメント表示を繰り返す（ステップＳ２６）。サーバ１００はフォトモザイクも作成している場合には、写真の入力を受け付けるごとにフォトモザイクを更新してもよい。
【００８８】
図１９〜図２３は、表示装置５００での表示の他の例を表わした図である。図１９〜図２３を参照して、端末装置３００からの写真の入力に従ってフォトモザイクも作成している場合、サーバ１００は、投稿された写真数が設定された２以上の数に到達すると、端末装置３００から入力された少なくとも２以上の写真を用いた結婚式演出用のコンテンツの処理の一例として、フォトモザイクを作成する。すなわち、図１８（Ａ）、（Ｂ）のような、予め設定されたフォトモザイク用の写真に基づいて投稿された写真を用いてフォトモザイクを作成し、作成したフォトモザイクをセグメント表示として表示してもよい。さらに、サーバ１００は、投稿された写真数が設定された数に到達するごとにフォトモザイクを更新する。そのため、表示装置５００の表示は、写真の投稿数が増加するにつれて、図１９→図２０→図２１→図２２→図２３と遷移して、フォトモザイクが徐々に細かく図１８の写真に近くなってくる。このようにすることで、参加者は結婚披露宴が開始してからの写真の投稿状態を感覚的に、また遊戯性を持って知ることができる。そのため、参加者は遊戯感覚で写真を投稿することになり、参加者に対して写真の投稿を促すことができる。
【００８９】
好ましくは、図１５で説明されたように、投稿された写真に関連付けられた参加者の属するグループごとにフォトモザイクを作成し、作成したフォトモザイクをセグメント表示として表示してもよい。図１９〜図２３の例では、新郎側、新婦側の投稿写真をそれぞれ用いて作成されたフォトモザイクが並べて表示されている。このようにすることで、参加者は結婚披露宴が開始してからのたとえば新郎側、新婦側などにグループごとの写真の投稿状態を感覚的に、また遊戯性に知ることができる。そのため、参加者に対して写真の投稿数を相手側のグループの投稿数と競わせる効果を生じさせ、写真の投稿をより促すことができる。
【００９０】
再び図１３を参照して、結婚披露宴の開催中、所定のタイミングで、司会者である特定のユーザは端末装置３００Ａを用いて、サーバ１００に対してフォトモザイクの完成を指示することができる。図２５は、サーバ１００でのユーザ認証によって司会者である特定のユーザのログインが認証された場合に、端末装置３００Ａに表示される操作画面の具体例を示す図である。図２５を参照して、司会者である特定のユーザ用の操作画面には、フォトモザイクの完成を指示するためのボタン７７が配されている。
【００９１】
たとえば、結婚披露宴の演出の１つとして、上記のセグメントの表示（増加）を所定のタイミングから開始して上記のセグメントを目標数よりも１区切り少ない数（９９％）まで増加させて表示させておき、司会者の、たとえば「あと１枚でフォトモザイクが完成です」などの掛け声と共に、写真の投稿を受け付けたタイミングで目標枚数に到達としてフォトモザイクを完成させる演出が考えられる。この演出を行なう場合を例にすると、図２５の操作画面は、セグメントを目標数よりも１区切り少ない数（９９％）表示させるタイミングを入力する項目７５と、セグメントの表示（増加）の開始を指示するボタン７６とをさらに含む。
【００９２】
操作画面が図２５の画面である場合、サーバ１００は、上記ステップＳ２３のセグメントの表示を特定のユーザである司会者がボタン７６にタッチしたタイミングで開始する。そして、サーバ１００は、一例として項目７５で設定された時刻まで写真の投稿枚数、または経過時間に応じてセグメントを増加しながら表示する。サーバ１００は、端末装置３００Ａからボタン７７にタッチされたことによるフォトモザイク完成の指示を受け付けると（ステップＳ２７）、結婚披露宴の開催中に端末装置３００から受け付けた２以上の写真を用いた結婚式演出用のコンテンツの処理として、予め設定された写真に基づいたフォトモザイクを作成し（ステップＳ２８）、フォトモザイクを表示装置５００に表示（再生）する処理を行なう（ステップＳ２９）。
【００９３】
好ましくは、サーバ１００は、結婚式演出用のコンテンツであるフォトモザイクの処理として、さらに、当該フォトモザイクの作成に用いた、端末装置３００から入力された写真のうちの「当たり写真」を提示する処理を行なう。一例として、端末装置３００Ａを用いて特定のユーザである司会者は当たり写真を提示する演出の開始を指示する。サーバ１００はその指示に応じて、投稿された写真の中から当たり写真を決定し、表示装置５００に表示する処理を行なう。
【００９４】
この演出を行なう場合を例にすると、図２５の操作画面は、「当たり写真」の決定をサーバ１００に対して指示するためのボタン８０と、表示装置５００に「当たり写真」の表示を指示するためのボタン８１とを含む。
【００９５】
好ましくは、この演出に先だって、端末装置３００Ａはサーバ１００で決定された「当たり写真」の候補を表示する。これにより、司会者は表示装置５００への当該写真の表示の適否を判断することができる。また、好ましくは、端末装置３００Ａは、決定された写真が表示に適切でないと判断された場合に、次の「当たり写真」の候補の決定をサーバ１００に対して指示する。そこで、好ましくは、図２５の操作画面は、さらに、「当たり写真」の候補を表示する項目７８と、次の「当たり写真」の候補の決定をサーバ１００に対して指示するためのボタン７９とを含む。
【００９６】
操作画面が図２５の画面である場合、サーバ１００は、端末装置３００Ａからボタン８０にタッチされたことによる「当たり写真」の決定の指示を受け付けると（ステップＳ３０）、端末装置３００から結婚披露宴の開催期間中である投稿期間に受け付けた写真の中から「当たり写真」とする写真を決定する（ステップＳ３１）。ステップＳ３１での決定方法は特定の方法に限定されない。乱数表を利用したものであってもよいし、予め投稿順や写真に関連付けられているユーザや投稿のタイミングなどが規定されていて、この規定に従う写真が抽出されるものであってもよい。
【００９７】
好ましくは、サーバ１００は決定した「当たり写真」を端末装置３００Ａに送信し、端末装置３００Ａの項目７８に表示させる。このとき、サーバ１００は端末装置３００Ａからボタン７９にタッチされたことによる次の「当たり写真」の決定の指示を受け付けると、再度、上記ステップＳ３１の動作を行なって次の「当たり写真」とする写真を決定する。
【００９８】
そして、サーバ１００は端末装置３００Ａからボタン８１にタッチされたことによる「当たり写真」の表示の指示を受け付けると（ステップＳ３２）、表示装置５００に対して当該写真を表示させるための情報を送信して、表示させる（ステップＳ３３）。
【００９９】
図２４は、表示装置５００での「当たり写真」の表示例を表わした図である。図２４を参照して、上記ステップＳ３３では、一例として、サーバ１００は上記ステップＳ２９で表示装置５００に表示させたフォトモザイクの中から、「当たり写真」に該当する写真を他の写真と区別して表示し、さらに、当該写真を大きく表示する、などの演出を行なうことが想定される。
【０１００】
第２の期間における結婚式演出用のコンテンツの処理もまた、フォトモザイクの作成および表示、および「当たり写真」の決定および表示に限定されるものではない。第１の期間での処理と同様に、投稿された写真を予め規定された順に並べて時系列的に再生されるコンテンツの一例であるスライドショーを作成および表示する処理や、フォトモザイクを利用したクイズを作成および表示する処理や、これらの表示を、結婚式場に設置された表示装置５００のみならず、他の開場に設置された表示装置（不図示）にも同期して表示する処理であってもよい。
【０１０１】
＜機能構成＞
図２６は、上記の第２の実施の形態にかかる動作を行なうためのサーバ１００の機能構成の具体例を示すブロック図である。図２５に示される各機能は、サーバ１００のＣＰＵ１０がＲＯＭ１１に記憶されている上記第２の期間用のプログラムをＲＡＭ１２上に読み出して実行することで、主にＣＰＵ１０で実現される。しかしながら少なくとも一部機能は、図２に表わされた他の装置構成、または図示されていない電気回路などの他のハードウェア構成によって実現されてもよい。
【０１０２】
図２６を参照して、第２の実施の形態にかかる動作を行なうためのサーバ１００の機能構成は、図１１に示される第１の実施の形態にかかる動作を行なうためのサーバ１００の機能構成のうちの設定部１０１および設定格納部１０２に替えて、ＣＰＵ１０が、上記のセグメントを表示装置５００に表示させる処理を行なうためのセグメント表示処理部１１０を含む。また、写真処理部１０８は、結婚披露宴開催期間中である投稿期間に端末装置３００から入力された少なくとも２以上の写真を用いた結婚式演出用のコンテンツの処理として、当該写真の中から「当たり写真」を決定するための当たり写真決定部１１１をさらに含む。
【０１０３】
第２の実施の形態にかかる動作を行なうための機能では、表示処理部１０７は、端末装置３００からの指示、または予め規定されたタイミングでフォトモザイクを表示装置５００に表示する処理、および当たり写真を表示装置５００に表示する処理をさらに行なう。
【０１０４】
＜動作フロー＞
図２７は、サーバ１００での第２の実施の形態にかかる動作の流れの具体例を表わしたフローチャートである。すなわち、イベントである結婚式開催中にサーバ１００で実行される動作の流れを表わしている。図２７のフローチャートに表わされた動作は、サーバ１００のＣＰＵ１０がＲＯＭ１１に記憶されているプログラムをＲＡＭ１２上に読み出して実行し、図２６の各機能を発揮することによって実現される。
【０１０５】
図２７を参照して、ＣＰＵ１０は端末装置３００から写真の入力（投稿）を受け付けると（ステップＳ２０１）、当該写真を予め規定されたメモリに格納する（ステップＳ２０３）。このとき、ＣＰＵ１０は、写真を受け付けるたびに表示装置５００に表示するようにしてもよい。これにより、表示装置５００には端末装置３００からの投稿に伴ってスライドショーのように投稿された写真が順に表示されることになる。
【０１０６】
ＣＰＵ１０は、メモリに格納した写真の数に応じたセグメントを表示する処理を実行する（ステップＳ２０５）。当該処理は、司会者である特定のユーザからの指示によって開始するものであってもよい。表示するセグメント数は、必ずしも写真の数に基づくものでなくてもよい。たとえば、予め規定されたタイミングでセグメント数を増加させていってもよい。
【０１０７】
ＣＰＵ１０は、予め規定された、結婚披露宴開催期間中である投稿期間が終了するまで（ステップＳ２０７でＮＯ）、端末装置３００から写真の入力を受け付ける。
【０１０８】
投稿期間が終了すると（ステップＳ２０７でＹＥＳ）、または、司会者である特定のユーザからの指示を受け付けると、ＣＰＵ１０は端末装置３００から上記の投稿期間に受け付けた２以上の写真を用いて、結婚式演出用のコンテンツの一例としてのフォトモザイクを作成する処理を実行する（ステップＳ２０９）。ＣＰＵ１０は、端末装置３００から写真の入力を受け付けるたびにフォトモザイクの作成（更新）を行なっていてもよい。そして、所定のタイミング、または司会者である特定のユーザからの指示を受け付けると、ＣＰＵ１０はフォトモザイクの更新を終了して完成させるようにしてもよい。
【０１０９】
その後、ＣＰＵ１０は、司会者である特定のユーザから「当たり写真」の決定の指示を受け付けると（ステップＳ２１１でＹＥＳ）、結婚式演出用のコンテンツの処理の一例として、端末装置３００から受け付けた写真の中から予め設定された規定に従って「当たり写真」を決定し、表示装置５００に表示する（ステップＳ２１３）。
【０１１０】
好ましくは、ＣＰＵ１０はステップＳ２１３で、決定した「当たり写真」を上記特定のユーザの利用している端末装置３００Ａに送信し、特定のユーザから表示の指示を受け付けた後に表示装置５００に表示する。
【０１１１】
＜第２の実施の形態の効果＞
本システムにて第２の実施の形態にかかる動作が行なわれることによって、イベントの一例である結婚披露宴の開催中に結婚披露宴の参加者からコンテンツの一例である写真の入力を受け付けて、結婚式演出用のコンテンツの処理としてフォトモザイクを作成して表示装置５００に表示したり、「当たり写真」として所定数の写真を抽出して表示装置５００に表示したりすることができる。これにより、結婚披露宴の参加者は、結婚披露宴の演出に積極的に参加することができ、結婚披露宴を主体的に楽しむことができる。したがって、本システムは、第２の実施の形態にかかる動作を行なうことによって、結婚披露宴をより効果的に演出することができる。
【０１１２】
［第３の実施の形態］
第３の実施の形態として、イベントの一例である結婚披露宴の開催後を含む上記第３の期間における本システムでの動作について説明する。本システムもまた、端末装置３００を結婚披露宴の参加者であったユーザが用いてサーバ１００にアクセスすることが想定されている。
【０１１３】
＜動作概要＞
図２８は、本システムでの第３の実施の形態にかかる動作の概要を表わした図である。また、図２９，図３０は、図２８の動作中の端末装置３００での表示例を表わした図である。図２８の例において、端末装置３００Ａは特定のユーザとして結婚披露宴開催時の新郎、新婦であったユーザが該当し、端末装置３００Ｂは結婚披露宴の招待客であったユーザが用いる端末装置に該当する。端末装置３００では、ユーザ操作に従って予めインストールされているプログラムが起動し、ユーザの操作を受け付ける。サーバ１００は、当該プログラムの実行に従って端末装置３００から送信されたユーザ情報を用いてユーザ認証を行なうことによって、当該操作が特定のユーザからのものであるそれ以外の参加者であったユーザからのものであるかを判別可能である。
【０１１４】
図２８を参照して、上記プログラムが起動している端末装置３００Ａは、特定のユーザによる写真の投稿指示を受け付けると、指定された写真をサーバ１００に対して送信する（ステップＳ４１）。ここでは、端末装置３００Ａは、たとえば図７のようなホーム画面から図８のような投稿画面に画面を遷移して写真の投稿の指示を受け付ける。
【０１１５】
上記写真の入力を受け付けたサーバ１００は、該写真データを結婚式情報に関連付けて、予め規定されているメモリに格納する（ステップＳ４２）。上記のステップＳ４１，Ｓ４２の動作は上記特定のユーザである新郎、新婦であったユーザからの操作の度に繰り返され、その度に写真データがメモリに蓄積されていく。
【０１１６】
第３の期間に投稿される写真は、例えば新婚旅行や出産やお宮参りなど、イベントの一例である結婚披露宴の後のイベントにおける写真が想定される。サーバ１００は、新郎、新婦であった特定のユーザから上記の写真を受け付けてメモリに格納することで、家族の歴史を撮影した写真を管理することになる。
【０１１７】
上記プログラムが起動している端末装置３００Ｂは、参加者であったユーザから以前に参加した結婚披露宴に関連して通知されたアクセス先にアクセスする指示操作を受け付けて、サーバ１００に対してアクセスを要求する（ステップＳ４３）。サーバ１００は、当該要求に含まれるパスワードを用いてユーザ認証を行ない（ステップＳ４４）、認証成功の場合に、結婚披露宴の後の当該結婚披露宴に関連付けられたサイトとして、上記の投稿された写真を提示するサイトを表示させるための表示情報を端末装置３００Ｂに対して送信する（ステップＳ４５）。この情報を受信することによって、端末装置３００Ｂのタッチパネル３３には上記の写真が表示される（ステップＳ４６）。
【０１１８】
上記プログラムが起動している端末装置３００Ｂは、参加者であったユーザから表示されている写真のダウンロードの指示を受け付けると、当該写真をサーバ１００に対して要求する（ステップＳ４７）。サーバ１００は、参加者であったユーザからの要求に応じて、指定された写真を端末装置３００Ｂに対して送信する（ステップＳ４８）。これにより、結婚披露宴の参加者であったユーザは、新郎、新婦であった特定のユーザが結婚披露宴開催の後に投稿した写真を閲覧し、さらにダウンロードすることができる。
【０１１９】
好ましくは、ステップＳ４６でサーバ１００は、さらに、端末装置３００から入力された少なくとも２以上の写真を用いた結婚式演出用のコンテンツの処理の一例として、第２の期間に完成したフォトモザイクを端末装置３００に表示する。そして、参加者であったユーザからの指示に応じて、サーバ１００は、結婚式演出用のコンテンツの処理の一例として、表示したフォトモザイクに含まれる写真のうちの指定された写真を、端末装置３００に転送する処理を行なう。
【０１２０】
より好ましくは、上記ステップＳ４６でフォトモザイクを表示する際、サーバ１００は、結婚披露宴の参加者であったユーザからの指示に従って、フォトモザイクに含まれる複数の写真のうちの指定されたユーザに関連付けられた写真を他のユーザに関連付けられた写真と区別して表示する。
【０１２１】
図２９は、フォトモザイクの表示の第１の例を表わした図である。図２９を参照して、一例として、ステップＳ４６の表示画面（不図示）において上記の指示を受け付けると、サーバ１００は、フォトモザイクのうちの指定されたユーザ（たとえば当該ユーザ）が投稿し、当該ユーザに関連付けてメモリに格納されている写真を太枠で囲って、他のユーザに関連付けられた写真と区別して、強調表示する。端末装置３００Ｂの操作画面において図２９のフォトモザイクの表示が行なわれることで、参加者であったユーザは指定したユーザの写真をフォトモザイクの中から容易に見つけることができる。
【０１２２】
図３０は、フォトモザイクの表示の第２の例を表わした図である。図３０を参照して、一例として、サーバ１００は予め参加者をたとえば新郎側、新婦側などにグループ分けして設定しておき、ステップＳ４６の表示画面（不図示）において上記の指示を受け付けると、フォトモザイクのうちの指定されたグループに属するユーザが投稿し、当該ユーザに関連付けてメモリに格納されている写真を太枠で囲って、他のグループに属するユーザに関連付けられた写真と区別して、強調表示する。端末装置３００Ｂの操作画面において図３０のフォトモザイクの表示が行なわれることで、参加者であったユーザは指定したグループに属するユーザの写真をフォトモザイクの中から容易に見つけることができる。
【０１２３】
その他、サーバ１００は、撮影時刻や撮影位置などの指定を端末装置３００Ｂから受け付けて、当該指定された条件に合致する写真を、フォトモザイクの中から強調表示してもよい。このようにすることで、参加者であったユーザは、ダウンロードしたい写真をフォトモザイクの中から容易に見つけることができる。
【０１２４】
＜機能構成＞
図３１は、上記の第３の実施の形態にかかる動作を行なうためのサーバ１００の機能構成の具体例を示すブロック図である。図３１に示される各機能は、サーバ１００のＣＰＵ１０がＲＯＭ１１に記憶されている上記第３の期間用のプログラムをＲＡＭ１２上に読み出して実行することで、主にＣＰＵ１０で実現される。しかしながら少なくとも一部機能は、図２に表わされた他の装置構成、または図示されていない電気回路などの他のハードウェア構成によって実現されてもよい。
【０１２５】
図３１を参照して、第３の実施の形態にかかる動作を行なうためのサーバ１００の機能構成は、図１１に示される第１の実施の形態にかかる動作を行なうためのサーバ１００の機能構成のうちの設定部１０１および設定格納部１０２に替えて、写真処理部１０８が、結婚式演出用のコンテンツの処理として参加者だったユーザの操作によって指定された写真を端末装置３００に転送する処理を行なうための転送部１１２を含む。
【０１２６】
第３の実施の形態にかかる動作を行なうための機能では、表示処理部１０７は、上記の第２の実施の形態にかかる動作において作成され、メモリに記憶されているフォトモザイクを端末装置３００に表示する処理をさらに行なう。この表示の際、好ましくは表示処理部１０７は、フォトモザイクに含まれる写真のうちの特定の写真を他の写真から区別して強調表示する。
【０１２７】
＜動作フロー＞
図３２は、サーバ１００での第３の実施の形態にかかる動作の流れの具体例を表わしたフローチャートである。すなわち、イベントである結婚披露宴開催後にサーバ１００で実行される動作の流れを表わしている。図３２のフローチャートに表わされた動作は、サーバ１００のＣＰＵ１０がＲＯＭ１１に記憶されているプログラムをＲＡＭ１２上に読み出して実行し、図３１の各機能を発揮することによって実現される。図３２の動作は、サーバ１００がユーザからアクセス要求を受け付けると開始される。
【０１２８】
すなわち、図３２を参照して、ＣＰＵ１０は端末装置３００を利用してユーザからアクセス要求を受け付けると、結婚式情報を用いてユーザ認証を行なった後（ステップＳ３０１）、図７と同様の、結婚披露宴開催後のホーム画面を端末装置３００に表示する。結婚披露宴開催後のホーム画面は、新郎、新婦であった特定のユーザからの写真の投稿操作を行なうためのボタン（たとえば図７のボタン６７）と、参加者であったユーザからの写真の閲覧およびダウンロード操作を行なうためのボタン（たとえば図７のボタン６８）とを含む。
【０１２９】
ホーム画面において、参加者であったユーザから写真を閲覧する操作を受け付けた場合（ステップＳ３０３でＮＯ）、ＣＰＵ１０は、メモリに格納されている写真を端末装置３００に表示する処理を行なう（ステップＳ３０５）。ステップＳ３０５でＣＰＵ１０は、後述する処理で、結婚披露宴開催の後の第３の期間に新郎、新婦であった特定のユーザから投稿され、メモリに格納した写真を端末装置３００に表示する。
【０１３０】
好ましくは、ステップＳ３０５でＣＰＵ１０は、上記の第２の期間に結婚披露宴の参加者から投稿された２以上の写真を用いて作成し、完成したフォトモザイクを端末装置３００に表示する。さらに、ステップＳ３０５でＣＰＵ１０は、端末装置３００からの指示に従って、フォトモザイクに含まれる写真のうちの指定されたユーザに関連付けられた写真を強調表示したり（図２９）、指定されたグループに属するユーザに関連付けられた写真を強調表示したり（図３０）してもよい。
【０１３１】
図示しない、写真を表示する画面は、表示した写真のうちから選択し、選択した写真のダウンロードを指示するためのボタンを含む。ＣＰＵ１０は、端末装置３００から写真を指定して当該写真のダウンロードの要求を受け付けると（ステップＳ３０７でＹＥＳ）、指定された写真を端末装置３００に対して転送する（ステップＳ３０９）。
【０１３２】
一方、ホーム画面において、新郎、新婦であった特定のユーザから写真を投稿する操作を受け付けた場合（ステップＳ３０３でＮＯ）、ＣＰＵ１０は、端末装置３００から受け付けた写真を予め規定されているメモリに格納する（ステップＳ３１１）。
【０１３３】
＜第３の実施の形態の効果＞
本システムにて第３の実施の形態にかかる動作が行なわれることによって、イベントの一例である結婚披露宴の開催後にも、結婚披露宴の参加者に対してコンテンツ（写真の閲覧、ダウンロード）が提供される。これにより、結婚披露宴の参加者は、結婚披露宴の後も継続してコンテンツの提供を受けることができる。そのため、結婚披露宴の参加者は、本システムにおけるコンテンツの処理によって、イベントである結婚披露宴の開催の後も新郎、新婦などである特定のユーザとの関わりを保つことができる。したがって、本システムは、第３の実施の形態にかかる動作を行なうことによって、イベントの一例である結婚披露宴そのものに加えて、その後のユーザ間のつながりも効果的に保つことができる。つまり、事後的にイベントを効果的に演出することができると言える。
【０１３４】
［第４の実施の形態］
以上の説明では、サーバ１００が端末装置３００とは別個の異なる装置であるものとしているが、端末装置３００のいずれかがサーバ１００を搭載していてもよい。たとえば、新郎、新婦の用いる端末装置３００Ａがサーバ１００を搭載していてもよい。この場合、図１１、図２６、および図３１に示された機能は、端末装置３００のＣＰＵ３０がＲＯＭ３１に記憶されたプログラムをＲＡＭ３２上に読み出して実行することで、主にＣＰＵ３０によって実現される。
【０１３５】
また、第１〜第３の実施の形態で説明されたそれぞれの動作のための処理は、サーバ１００のみならず、少なくとも一部が端末装置３００で実行され、端末装置３００とサーバ１００との間で情報が受け渡しされることでこれら装置が協働して実現されてもよい。たとえば、ステップＳ６のユーザ認証は、端末装置３００側で行なわれてもよい。この場合、図１１、図２６、および図３１に示された機能のうちの少なくとも一部機能（たとえば認証部１０６）は、端末装置３００のＣＰＵ３０がＲＯＭ３１に記憶されたプログラムをＲＡＭ３２上に読み出して実行することで、ＣＰＵ３０によって実現されるものであってよい。
【０１３６】
［第５の実施の形態］
さらに、上述の処理をサーバ１００のＣＰＵ１０や端末装置３００のＣＰＵ３０に実行させるためのプログラムを提供することもできる。プログラムを提供可能とすることで、一般的なコンピュータや携帯端末をサーバ１００や端末装置３００として機能させることができる。そのため、本システムを既存の装置を利用して容易に構築することができる。
【０１３７】
このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１３８】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１３９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１４０】
提供されるプログラム製品は、ハードディスクなどのプログラム格納部にインストールされて実行される。なお、プログラム製品は、プログラム自体と、プログラムが記録された記録媒体とを含む。
【０１４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４２】
１０，３０  ＣＰＵ、１１，３１  ＲＯＭ、１２，３２  ＲＡＭ、１３，３８  通信部、１４  ＨＤＤ、３３  タッチパネル、３４  カメラ、３５  マイク、３６  スピーカ、３７  読取部、６１，６２，６３，６４，７５，７８  項目、６５，６６  通知、６７，６８，６９，７０，７６，７７，７９，８０，８１  ボタン、７１，７１Ａ，７１Ｂ，７２，７４  セグメント、７３  写真、１００  サーバ、１０１  設定部、１０２  設定格納部、１０３  写真入力部、１０４  写真格納部、１０５  指示入力部、１０６  認証部、１０７  表示処理部、１０８  写真処理部、１０９  フォトモザイク作成部、１１０  セグメント表示処理部、１１１  当たり写真決定部、１１２  転送部、１４１  結婚式情報記憶部、１４２  写真記憶部、１４３  コンテンツ記憶部、３００，３００Ａ，３００Ｂ，３００Ｃ，３００Ｄ  端末装置、５００  表示装置。
【図１】
2015141671.tif 000003
【図２】
2015141671.tif 000004
【図３】
2015141671.tif 000005
【図４】
2015141671.tif 000006
【図５】
2015141671.tif 000007
【図６】
2015141671.tif 000008
【図７】
2015141671.tif 000009
【図８】
2015141671.tif 000010
【図９】
2015141671.tif 000011
【図１０】
2015141671.tif 000012
【図１１】
2015141671.tif 000013
【図１２】
2015141671.tif 000014
【図１３】
2015141671.tif 000015
【図１４】
2015141671.tif 000016
【図１５】
2015141671.tif 000017
【図１６】
2015141671.tif 000018
【図１７】
2015141671.tif 000019
【図２５】
2015141671.tif 000020
【図２６】
2015141671.tif 000021
【図２７】
2015141671.tif 000022
【図２８】
2015141671.tif 000023
【図３１】
2015141671.tif 000024
【図３２】
2015141671.tif 000025
【図１８】
2015141671.tif 000026
【図１９】
2015141671.tif 000027
【図２０】
2015141671.tif 000028
【図２１】
2015141671.tif 000029
【図２２】
2015141671.tif 000030
【図２３】
2015141671.tif 000031
【図２４】
2015141671.tif 000032
【図２９】
2015141671.tif 000033
【図３０】
2015141671.tif 000034